(57)【特許請求の範囲】
【請求項１】
第１の基材と第２の基材とが接着剤Ａと接着剤Ｂとを接着箇所を分けて、使用して重ね合わせられた往復隠蔽はがきにおいて、該第１の基材が第１Ａ基材部と第１Ｂ基材部とが折り線２を介して区分けされ、かつ第１の基材が第１Ｂ基材部と第１Ｃ基材部とが折り線３を介して区分けされたもので、該第２の基材が第２Ａ基材部と第２Ｂ基材部とが折り線２を介して区分けされ、かつ第２の基材が第２Ｂ基材部と第２Ｃ基材部とが折り線３を介して区分けされたもので、第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着可能である擬似接着剤であり、また第２の基材の表面が再剥離性感圧粘着剤層が設けられ、往信時は前記の折り線２で折り畳み、第２の基材の第２Ａ基材部と第２Ｂ基材部の表面同士が重ね合わされて圧着されて接着可能であり、返信時は第１Ｃ基材部と第２Ｃ基材部からなる返信はがきを、折り線３の部分で切り離して、前記の第１Ｂ基材部に設けられたハーフカット部分を剥離して、該剥離した部分をラベルとして使用することにより、第１Ｃ基材部の表面に記載した個人情報を、該ラベルを貼り付けて隠蔽可能にしたことを特徴とする往復隠蔽はがき。
【請求項２】
第１の基材と第２の基材とが接着剤Ａと接着剤Ｂとを接着箇所を分けて、使用して重ね合わせられた往復隠蔽はがきにおいて、該第１の基材が第１Ｂ基材部と第１Ｃ基材部とが折り線３を介して区分けされたもので、該第２の基材が第２Ａ基材部と第２Ｂ基材部とが折り線２を介して区分けされ、かつ第２の基材が第２Ｂ基材部と第２Ｃ基材部とが折り線３を介して区分けされたもので、第１Ｃ基材部と第２Ｃ基材部を重ね合わせる接着剤が接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着可能である擬似接着剤であり、また第２の基材の表面が再剥離性感圧粘着剤層が設けられ、往信時は前記の折り線２で折り畳み、第２の基材の第２Ａ基材部と第２Ｂ基材部の表面同士が重ね合わされて圧着されて接着可能であり、返信時は第１Ｃ基材部と第２Ｃ基材部からなる返信はがきを、折り線３の部分で切り離して、前記の第１Ｂ基材部に設けられたハーフカット部分を剥離して、該剥離した部分をラベルとして使用することにより、第１Ｃ基材部の表面に記載した個人情報を、該ラベルを貼り付けて隠蔽可能にしたことを特徴とする往復隠蔽はがき。
【請求項３】
前記の第１Ｂ基材部と第２Ｂ基材部を重ね合わせる接着剤が接着剤Ｂと、さらに接着剤Ａを用い、該接着剤Ａと接着剤Ｂを、第１Ｂ基材部と第２Ｂ基材部の重ね合わせる箇所で、接着箇所を分けて使用したことを特徴とする請求項１または２に記載の往復隠蔽はがき。
【請求項４】
前記の第１の基材と第２の基材を重ね合わせて、折り線２と折り線３で折り畳む際、折り線２及び／または折り線３に、山折り側になる第１の基材にスリット、あるいはミシン目を入れて折りしわを無くし、圧着や郵送などに支障をきたさないようにしたことを特徴とする請求項１〜３のいずれかに記載の往復隠蔽はがき。
【請求項５】
前記の第１の基材と第２の基材の少なくとも一方において、地紋印刷が設けられて、該基材部に記載された個人情報が透けて見えないようにしたことを特徴とする請求項１〜４のいずれかに記載の往復隠蔽はがき。
【発明の詳細な説明】
【技術分野】
【０００１】
本発明は往復隠蔽はがきに関し、特にプリンターの印字適性、搬送適性等に優れ、また製造する上で、製造工程が増えることもなく、隠蔽性が高い往復隠蔽はがきに関するものである。
【背景技術】
【０００２】
従来、往復はがきを使用する際に、封筒に入れずに、個人情報の記載されたはがきを往復させて、例えば企業から個人に往信する時に、その個人情報の記載部を隠蔽させるために、紙と重ね合わせて、圧着し隠蔽していた。また、同じはがきを使用して、個人から企業へ返信する時は、はがきに添付されているラベルを個人情報の記載部に貼り付けて、隠蔽していた。
【０００３】
図２、３は、従来の往復隠蔽はがきの一例を示す図である。
従来の往復隠蔽はがき１は、図２ａ）に示すように、折り線２と折り線３が施され，該折り線２、折り線３が各々山折りで折り畳まれた状態で、Ａ面、Ｂ面が重ね合わされ、圧着されると接着するような接着剤が、基材に塗布されたものが使用されている。そして、Ｂ面の一定箇所に、裏面に粘着剤が設けられた隠蔽ラベル４が貼り込まれている。この往復はがきの往信された個人は、Ｃ面を、折り線３を利用して、Ｂ面から切り離して、返信はがきとして利用する。その返信時は、Ｂ面に貼付されている隠蔽ラベル４をＢ面から剥離して、図２ａ）に示すＣ面の個人情報欄に、その隠蔽ラベルを貼り付けて、個人情報欄の情報を隠蔽しておく。
【０００４】
尚、図２に示す往復隠蔽はがき１は、図２ａ）に示すものが、おもて側の状態で、Ａ面には、広告欄などが配置され、圧着され接着した状態では、はがきの裏面の最表面となって、その広告欄の情報が即座に見れるものである。またＢ面には、往復はがきの往信先の住所、名前を記載した欄が、上側に配置され、下側には、隠蔽ラベル４がＢ面から剥離可能に貼り付けられている。また、Ｃ面には、往信先の個人情報欄が隠蔽ラベルで覆われるサイズにて配置されている。
【０００５】
図２ｂ）に示すものは、往復隠蔽はがき１の裏面側であり、Ｃ面には返信時のはがきの「郵便往復はがき」、「返信」等の文字が印刷されている。Ａ面には、往信された、つまり返信者の個人情報が、前記のＣ面の表に記載された個人情報と同様に、記載されている。またＢ面には、全面に地紋印刷が施され、往復隠蔽はがきが往信される際に、個人情報が透けて見えることが困難になるようにしている。尚、Ａ面とＢ面は、折り線２を境にして隣接し、またＢ面とＣ面は、折り線３を境にして隣接している。折り線２と折り線３は、両方とも、その線に沿って、折るものであるが、折り線３は、往信先の人が、往復隠蔽はがきを受取った後に、返信する際に、Ｃ面を、Ａ面とＢ面が連結したものから、切り取って使用する。また、図２に示す往復隠蔽はがきは、両側にマージナルパンチ加工が施された連続フォームとして、製造され、そのマージナルパンチ加工された部分を利用して、個人情報等を、プリンターで連続的に印字することが行われる。但し、３つ折された往復隠蔽はがきとして、利用する際は、そのマージナルパンチ加工された部分は、切り取り線５、６により、切り離される。
【０００６】
上記の図２に示す往復隠蔽はがき１は、折り線２で折り畳み、Ａ面、Ｂ面を重ね合わして、圧着した後に、別工程にて、隠蔽ラベルをラベラ等を使用して、Ｂ面に貼り込むことが必要であり、非常に手間がかかり、また製造コストが高くついてしまう。また、この隠蔽ラベルは購入する際に、高価である。
【０００７】
以上のような問題があるので、図３に示すような往復隠蔽はがきの改良品が提案されている。図３に示す往復隠蔽はがき１は、図３ａ）に示すものが、おもて側の状態で、Ａ面には、広告欄などが配置され、圧着され接着した状態では、はがきの裏面の最表面となって、その広告欄の情報が即座に見れるものである。またＢ面には、往復はがきの往信先の住所、名前を記載した欄が、上側に配置され、かつ下側には、切り抜き部７が、配置されたシート８が、剥離可能で、再接着可能である擬似接着剤層により、Ｂ面の全面に貼り付けられている。また、Ｃ面には、往信先の個人情報欄(往信先記入)が隠蔽ラベルで覆われるサイズにて配置されている。
【０００８】
図３ｂ）に示すものは、往復隠蔽はがき１の裏面側であり、Ｃ面には返信時のはがきの「郵便往復はがき」、「返信」等の文字が印刷されている。Ａ面には、往信された、つまり返信者の個人情報が記載されている。またＢ面には、全面に地紋印刷が施され、往復隠蔽はがきが往信される際に、個人情報が透けて見えることが困難になるようにしている。尚、Ａ面とＢ面は、折り線２を境にして隣接し、またＢ面とＣ面は、折り線３を境にして隣接している。折り線２と折り線３は、両方とも、その線に沿って、折るものであるが、折り線３は、往信先の人が、往復隠蔽はがきを受取った後に、返信する際に、Ｃ面を、Ａ面とＢ面が連結したものから、切り取って使用する。また、図３に示す往復隠蔽はがきは、両側にマージナルパンチ加工が施された連続フォームとして、製造され、そのマージナルパンチ加工された部分を利用して、個人情報、住所、名前等を、プリンターで連続的に印字することが行われる。但し、３つ折された往復隠蔽はがきとして、利用する際は、そのマージナルパンチ加工された部分は、切り取り線５、６により、切り離される。
【０００９】
図３ａ）に示すように、折り線２と折り線３が施され，該折り線２が山折りで折り畳まれた状態で、Ａ面、Ｂ面が重ね合わされ、圧着されると接着するような接着剤が、塗布されたものが使用されている。そして、Ｂ面の全面には、擬似接着剤層により、シート８が貼り付けられている。この往復はがきの往信された個人は、Ｃ面を、折り線３を利用して、Ｂ面から切り離して、返信はがきとして利用する。その返信時は、Ｂ面に貼付されているシート８の切り抜き部７がハーフカット９の加工がされているので、そのハーフカット９を利用して、切り抜き部７をＢ面から剥離して、図３ａ）に示すＣ面の個人情報欄に、その切り抜き部７を、裏面に設けられた擬似接着剤層により、貼り付けて、個人情報欄の情報を隠蔽しておく。
【００１０】
図３に示している往復隠蔽はがき１は、ラベラによりシート８を貼り込む方法ではなく、擬似接着剤をＢ面の表面に塗工して、シート８を重ね合わせて接着させる方法が多く行われる。この方法は、擬似接着剤は、切り抜き部７をＢ面から剥離した場合、シート８側、つまり切り抜き部７の側に転写されて、切り抜き部７がラベルとして、個人情報欄を隠蔽するために貼付できる。また、この往復隠蔽はがき１は、Ａ面、Ｂ面、Ｃ面が連接したはがき本体１０と、シート８との縦方向の見当合わせが出来ないために、シート８に印刷を施しておくことができない問題がある。さらに、Ｂ面の全面に、シート８が擬似接着剤層により、貼り付けられているので、他のＡ面及びＣ面と比べ、Ｂ面の部分の総厚が大きくなり、プリンターでの搬送適性が低下し、またその影響もあり、印字適性も低下する問題がある。
【００１１】
また、特許文献１に示す往復はがきは、返信宛名情報が記載された紙葉３の裏面の全面にラベルを積層させたものが、提案されている。しかし、この場合も、紙葉３の部分が、他の紙葉１、２の部分に比べ、総厚が大きく、プリンターでの搬送適性が低下し、またその影響もあり、印字適性も低下する問題がある。
【特許文献１】特開平７−４０６８３号公報
【発明の開示】
【発明が解決しようとする課題】
【００１２】
したがって、本発明は、プリンターの印字適性、搬送適性等に優れ、また製造する上で、製造工程が増えることもなく、隠蔽性が高い往復隠蔽はがきを提供することを目的とする。
【課題を解決するための手段】
【００１３】  以上の状況を鑑み、鋭意研究開発を進め、本発明に到った。すなわち、請求項１に記載の発明は、第１の基材と第２の基材とが接着剤Ａと接着剤Ｂとを接着箇所を分けて、使用して重ね合わせられた往復隠蔽はがきにおいて、該第１の基材が第１Ａ基材部と第１Ｂ基材部とが折り線２を介して区分けされ、かつ第１の基材が第１Ｂ基材部と第１Ｃ基材部とが折り線３を介して区分けされたもので、該第２の基材が第２Ａ基材部と第２Ｂ基材部とが折り線２を介して区分けされ、かつ第２の基材が第２Ｂ基材部と第２Ｃ基材部とが折り線３を介して区分けされたもので、第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着可能である擬似接着剤であり、また第２の基材の表面が再剥離性感圧粘着剤層が設けられ、往信時は前記の折り線２で折り畳み、第２の基材の第２Ａ基材部と第２Ｂ基材部の表面同士が重ね合わされて圧着されて接着可能であり、返信時は第１Ｃ基材部と第２Ｃ基材部からなる返信はがきを、折り線３の部分で切り離して、前記の第１Ｂ基材部に設けられたハーフカット部分を剥離して、該剥離した部分をラベルとして使用することにより、第１Ｃ基材部の表面に記載した個人情報を、該ラベルを貼り付けて隠蔽可能にしたことを特徴とする。【００１４】  請求項２に記載の発明は、第１の基材と第２の基材とが接着剤Ａと接着剤Ｂとを接着箇所を分けて、使用して重ね合わせられた往復隠蔽はがきにおいて、該第１の基材が第１Ｂ基材部と第１Ｃ基材部とが折り線３を介して区分けされたもので、該第２の基材が第２Ａ基材部と第２Ｂ基材部とが折り線２を介して区分けされ、かつ第２の基材が第２Ｂ基材部と第２Ｃ基材部とが折り線３を介して区分けされたもので、第１Ｃ基材部と第２Ｃ基材部を重ね合わせる接着剤が接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着可能である擬似接着剤であり、また第２の基材の表面が再剥離性感圧粘着剤層が設けられ、往信時は前記の折り線２で折り畳み、第２の基材の第２Ａ基材部と第２Ｂ基材部の表面同士が重ね合わされて圧着されて接着可能であり、返信時は第１Ｃ基材部と第２Ｃ基材部からなる返信はがきを、折り線３の部分で切り離して、前記の第１Ｂ基材部に設けられたハーフカット部分を剥離して、該剥離した部分をラベルとして使用することにより、第１Ｃ基材部の表面に記載した個人情報を、該ラベルを貼り付けて隠蔽可能にしたことを特徴とする。【００１５】
請求項３に記載の発明は、前記の第１Ｂ基材部と第２Ｂ基材部を重ね合わせる接着剤が接着剤Ｂと、さらに接着剤Ａを用い、該接着剤Ａと接着剤Ｂを、第１Ｂ基材部と第２Ｂ基材部の重ね合わせる箇所で、接着箇所を分けて使用したことを特徴とする。
請求項４に記載の発明は、前記の第１の基材と第２の基材を重ね合わせて、折り線２と折り線３で折り畳む際、折り線２及び／または折り線３に、山折り側になる第１の基材にスリット、あるいはミシン目を入れて折りしわを無くし、圧着や郵送などに支障をきたさないようにすることが好ましい。
請求項５に記載の発明は、前記の第１の基材と第２の基材の少なくとも一方において、地紋印刷が設けられて、該基材部に記載された個人情報が透けて見えないようにすることが好ましい。
【発明の効果】
【００１６】  本発明の往復隠蔽はがきは、第１の基材と第２の基材とが接着剤Ａと接着剤Ｂとを接着箇所を分けて、使用して重ね合わせられた往復隠蔽はがきにおいて、該第１の基材が第１Ａ基材部と第１Ｂ基材部とが折り線２を介して区分けされ、かつ第１の基材が第１Ｂ基材部と第１Ｃ基材部とが折り線３を介して区分けされたもので、該第２の基材が第２Ａ基材部と第２Ｂ基材部とが折り線２を介して区分けされ、かつ第２の基材が第２Ｂ基材部と第２Ｃ基材部とが折り線３を介して区分けされたもので、第１Ａ基材部と第２Ａ基材部を重ね合わせる接着剤が接着剤Ａであり、第１Ｃ基材部と第２Ｃ基材部を重ね合わせる接着剤も接着剤Ａであり、第１Ｂ基材部と第２Ｂ基材部を重ね合わせる接着剤が接着剤Ｂであり、接着剤Ａは強接着剤であり、接着剤Ｂは剥離可能で、再接着可能である擬似接着剤であり、また第２の基材の表面が再剥離性感圧粘着剤層が設けられ、往信時は前記の折り線２で折り畳み、第２の基材の第２Ａ基材部と第２Ｂ基材部の表面同士が重ね合わされて圧着されて接着可能であり、返信時は第１Ｃ基材部と第２Ｃ基材部からなる返信はがきを、折り線３の部分で切り離して、前記の第１Ｂ基材部に設けられたハーフカット部分を剥離して、該剥離した部分をラベルとして使用することにより、第１Ｃ基材部の表面に記載した個人情報を、該ラベルを貼り付けて隠蔽可能にした。また、上記の第１の基材が、第１Ａ基材部を無くして、第１Ｂ基材部と第１Ｃ基材部のみから構成することも可能である。【００１７】  以上の往復隠蔽はがきは、第２の基材に対して、第１の基材の全面（第１Ａ基材部と第１Ｂ基材部と第１Ｃ基材部を合わせたもの、あるいは第１Ｂ基材部と第１Ｃ基材部を合わせたもの）を貼り合せた構成であり、往復隠蔽ハガキの両端に、マージナルパンチ加工が施された連続フォームとして、製造することができ、かつ第２の基材の両端と第１の基材の少なくとも片端それぞれに、マージナルパンチ加工が施された連続フォームとして、別個に印刷加工を予め行なって、その後に第１の基材と第２の基材を、それぞれ印刷された部分の上下、左右の位置見当を合わせることができる。従来のラベル部分（第１Ｂ基材部に設けられたハーフカット部分で、裏面には剥離可能で、再接着可能である擬似接着剤が設けられた部分）に印刷加工を施すことが困難であったが、その問題が解決できる。【００１８】
また、従来の隠蔽ラベルをラベラを使用して、貼り込む必要がなく、製造工程が増えることもない。さらに、本発明の往復隠蔽はがきは、マージナルパンチ加工が施された連続フォームの形態で、そのマージナルパンチ加工された部分を利用して、個人情報等を、プリンターで連続的に印字する際に、第１の基材及び第２の基材において、マージナルパンチ加工がされているので、プリンターの搬送適性、印字適性が良好である。特に、請求項１で規定した第１の基材と第２の基材との外形の大きさが同じである場合、第１の基材と第２の基材の合わせた総厚の差が無く、段差がなく、全面が均一な厚さになり、プリンターでの搬送適性がより良好であり、また印字適性もより良好となり、正確な位置に、印字品質の良好な印字が行なえる。
【発明を実施するための最良の形態】
【００１９】
図１は、本発明の往復隠蔽はがき１の一つの実施形態を示す概略図であり、図１ａ）は往復隠蔽はがきが往信して使用する前の第１の基材、第２の基材とが接着剤Ａ、Ｂや、折り線２、３等で構成されることを説明するための概略図であり、図１ｂ）は図１ａ）で示した往復隠蔽はがきが、往信された後の返信時での使用される状態を説明するための概略図である。
【００２０】
図１ａ）において、第２の基材１２が、第２Ａ基材部（２Ａ）と第２Ｂ基材部（２Ｂ）とが折り線２を介して区分けされ、かつ第２の基材１２が第２Ｂ基材部（２Ｂ）と第２Ｃ基材部（２Ｃ）とが折り線３を介して区分けされて形成されている。第２Ａ基材部の表面を２Ａ面とし、第２Ｂ基材部の表面を２Ｂ面とし、また第２Ｃ基材部の表面を２Ｃ面として、２Ｃ面には返信時のはがきの「郵便往復はがき」、「返信」の文字が印刷されている。尚、「郵便往復はがき」の印刷位置は、図示した位置に限定されず、図１ｂ）の第１Ｂ基材部で示したような配置で、第２Ｃ基材の２Ｃ面の左端に設けることも可能である。２Ａ面には、往信された、つまり返信者の個人情報１３が、可変情報として、例えば、ノーインパクトプリンターを使用して、印字されている。第２の基材１２は、両端に、マージナルパンチ１５加工が施された連続フォームの形態で製造され、また上記のプリンター印字は、そのマージナルパンチ加工を利用して連続処理される。また第２の基材１２は、個人情報１３を隠蔽するために、基材１２の表面の全面に、再剥離性感圧粘着剤層１４が設けられている。
【００２１】
この再剥離性感圧粘着剤層１４は、その使用する粘着剤層が基材と接触しても粘着せずに、粘着剤層同士が加圧接触してはじめて粘着し、しかも再剥離ができるように調整されたものであり、従来の折り畳みのメールフォームで利用されているものが使用できる。一般的に、粘着主剤、粘着力調整剤、添加物等でその粘着剤層を構成できる。往信時は折り線２で、谷折りの条件で折り畳み、第２の基材１２の第２Ａ基材部と第２Ｂ基材部の表面同士（２Ａ面と２Ｂ面）が重ね合わされて圧着されて接着し、上記の個人情報１３が隠蔽できる。また図示してはいないが、基材部に記載された個人情報、すなわち第１Ｃ基材部の表面に記載した個人情報２２、あるいは第２Ａ基材部の表面の返信者の個人情報１３において、郵便配達中などの取扱い中に、それらの個人情報が透けて見えないように、地紋印刷が施されることが好ましい。詳しくは、まず第１Ｃ基材部の表面に記載した個人情報２２では、第１Ｃ基材部の裏面全面に（接着剤Ａと接する側に）、及び／または第２Ｃ基材部の接着剤Ａと接する側に、地紋印刷を施すことができる。さらに、その個人情報２２の上に、貼り付けるラベルの表面全面に、あるいはラベルの接着剤Ｂと接する側に、地紋印刷を施すことができる。
また、第２Ａ基材部の表面の返信者の個人情報１３では、第２Ａ基材部の裏面全面に（接着剤Ａと接する側に）、及び／または第１Ａ基材部の接着剤Ａと接する側に、及び／または第２Ｂ基材部の接着剤Ｂと接する側に、及び／または第１Ｂ基材部の接着剤Ｂと接する側に、地紋印刷を施すことができる。
このようにして、往復隠蔽はがきが往信、返信される際に、個人情報が透けて見えることを困難にすることができる。
【００２２】
また、第２の基材１２に設けられた折り線２は、ミシン目であったり、スジ押しであったり、あるいは点線を印刷して形成することもできる。この折り線２は、その線上で、折りやすくするためのものである。また折り線３は、往信時などの取扱い上は切り離れることはない。
【００２３】
また、図１ａ）において、第１の基材１１が第１Ａ基材部（１Ａ）と第１Ｂ基材部（１Ｂ）とが折り線２を介して区分けされ、かつ第１の基材１１が第１Ｂ基材部（１Ｂ）と第１Ｃ基材部（１Ｃ）とが折り線３を介して区分けされて形成されている。第１Ａ基材部の表面を１Ａ面とし、第１Ｂ基材部の表面を１Ｂ面とし、また第１Ｃ基材部の表面を１Ｃ面として、図示はしていないが、１Ａ面には、適当な広告を印刷することができる。また、１Ｂ面には「郵便往復はがき」の文字などが印刷され、また往信先の住所、名前１７が記載されている。また、１Ｃ面には返信はがきとして、返信者が返信する人の個人情報を記入しやすくする説明書きなどが印刷されている。上記の往信先の住所、名前１７は、可変情報であり、例えば、ノーインパクトプリンターを使用して、印字される。尚、第１の基材１１についても、上記の第２の基材１２と同様に、両端に、マージナルパンチ１５加工が施された連続フォームの形態で製造され、また上記のプリンター印字は、そのマージナルパンチ加工を利用して連続処理される。但し、第１の基材１１における往信先の住所、名前１７のプリンター印字と、上記の第２の基材１２における返信者の個人情報１３のプリンター印字は、両者の情報の照合性を正確にするために、第１の基材１１と第２の基材１２とが接着剤Ａ、Ｂで重ね合わせて接着している状態で、両面印字可能なプリンターを用いて行なうことが好ましい。
【００２４】
上記に説明した第１の基材１１と第２の基材１２とが、接着剤Ａ（２０）と接着剤Ｂ（２１）を使用して、重ね合わせられている。その接着剤Ａ（２０）と接着剤Ｂ（２１）とは、その塗工する箇所を区分けしており、第１Ａ基材部（１Ａ）と第２Ａ基材部（２Ａ）を重ね合わせるための接着剤が接着剤Ａ（２０）であり、第１Ｃ基材部（１Ｃ）と第２Ｃ基材部（２Ｃ）を重ね合わせるための接着剤も接着剤Ａ（２０）であり、第１Ｂ基材部（１Ｂ）と第２Ｂ基材部（２Ｂ）を重ね合わせるための接着剤が接着剤Ｂ（２１）である。このように、接着剤を使い分けるものである。この接着剤Ａ（２０）は強接着剤であり、一旦接着させた後に、第１の基材１１と第２の基材１２を剥離することが困難である。また、接着剤Ｂ（２１）は一旦接着した後に、剥離可能であり、またその剥離された接着剤Ｂ（２１）を利用して（ラベルとして）、返信はがき１６の個人情報を記入した欄２２に再接着することができるものである。この機能を有する接着剤Ｂ（２１）は、擬似接着剤と言われるものである。
【００２５】
また、第１の基材１１における第１Ｂ基材部（１Ｂ）におけるハーフカットの位置を示す線１８に合わせて、ハーフカット１９処理が施される。このハーフカット１９処理された部分は、図示したように四角形で４隅に、Ｒの加工が施すことが出来る。このハーフカット１９処理は、第１の基材１１と第２の基材１２とが、接着剤Ｂ（２１）により接着されて、一体化した状態で、第１Ｂ基材部（１Ｂ）の表面から、接着剤Ｂと接する面まで、第１Ｂ基材部（１Ｂ）を貫通するカットが施され、接着剤Ｂの一部まで、そのカットが延びていても良い。このハーフカット１９処理された部分を第１の基材１１から剥離すると、第１Ｂ基材部（１Ｂ）と、その裏面に接着剤Ｂによる接着剤層が設けられたラベルとなり、返信はがき１６の個人情報を記入した欄２２に、そのラベルは貼り付けて、その個人情報を容易に隠蔽することができる。
【００２６】
図１ａ）で示した往復隠蔽はがき１は、往信時に折り線２で、谷折りの条件で折り畳んで、第２の基材１２の第２Ａ基材部と第２Ｂ基材部の表面同士（２Ａ面と２Ｂ面）が重ね合わされて圧着されて接着し、個人情報１３を隠蔽するものである。尚、往信時における折り線３の方は、図示したように谷折りされるが、２Ｃ面には再剥離性感圧粘着剤層１４が設けられているが、折られて接触する相手面（第１Ａ基材部の１Ａ面）には再剥離性感圧粘着剤層が設けられていないので、両者は接着しない。また本発明の往復隠蔽はがき１は、往信時に、３つ折された往復隠蔽はがきとして、利用する際は、両端に設けられたマージナルパンチ１５加工された部分は、切り取り線５、６により、切り離されている。
【００２７】  図１ｂ）で示したものは、図１ａ）で示した往復隠蔽はがきが、往信された後の返信時での使用される状態を説明するもので、往信先の人が、往復隠蔽はがき１を受取って、２Ａ面と２Ｂ面とが接着した状態から、２Ａ面と２Ｂ面とを剥離して、２Ａ面に記載された個人情報１３を確認して、その後に折り線３の部分で第１Ｃ基材部（１Ｃ）と第１Ｂ基材部（１Ｂ）とを切り離して、第１Ｃ基材部（１Ｃ）と第２Ｃ基材部（２Ｃ）からなる返信はがき１６が得られる。第１Ｂ基材部（１Ｂ）に設けられたハーフカット１９部分を剥離して、該剥離した部分をラベルとして使用することにより、第１Ｃ基材部（１Ｃ）の表面に記載した個人情報２２を、該ラベルを貼り付けて隠蔽する。尚、返信はがき１６の個人情報の記入欄２２には、往信された返信者が自分の個人情報に関する必要事項を記入した後に、上記のラベルを貼り付けて使用する。図１（ｂ）では、説明上で、第１Ａ基材のみ示しているが、第１Ａ基材部の裏面側には接着剤Ａ、または接着剤Ｂにより第２Ａ基材部が接着して重ね合わされたものである。【００２８】
以上、図１を用いて、本発明の往復隠蔽はがきについて、説明したが、図１のように、マージナルパンチ１５の加工された方向と、折り線２、３の加工された方向が平行であるが、図４に示すように、マージナルパンチ１５の加工された方向と、折り線２、３の加工された方向が直角であるように、往復隠蔽はがきの配置をとることも可能である。
【００２９】
図５は、本発明の往復隠蔽はがき１の一つの実施形態を示す部分概略図であり、特許請求の範囲の請求項３を説明するものである。第１Ｂ基材部（１Ｂ）と第２Ｂ基材部（２Ｂ）を重ね合わせる接着剤が接着剤Ｂ（２１）と、さらに接着剤Ａ（２０）を用い、該接着剤Ａ（２０）と接着剤Ｂ（２１）を、第１Ｂ基材部（１Ｂ）と第２Ｂ基材部（２Ｂ）の重ね合わせる箇所の中の、第１Ｂ基材部（１Ｂ）の下半分の領域に、剥離可能で、再接着可能である擬似接着剤である接着剤Ｂが塗工され、また第１Ｂ基材部（１Ｂ）の上半分の領域に、強接着剤である接着剤Ａが塗工され、第１Ｂ基材部（１Ｂ）の上半分と下半分の接着箇所を分けて、接着剤Ａ（２０）と接着剤Ｂ（２１）が使用されたものである。
【００３０】
上記の第１Ｂ基材部（１Ｂ）の下半分の領域で、ハーフカット１９処理された部分では、第２の基材１２と剥離して得られる、第１Ｂ基材部（１Ｂ）と、その裏面に接着剤Ｂ（２１）による接着剤層が設けられたものが、ラベルとなり、返信はがき１６の個人情報を記入した欄２２に、そのラベルは貼り付けて、その個人情報を容易に隠蔽することができる。また、第１Ｂ基材部（１Ｂ）の上半分の領域は、往信先の住所、名前１７が記載されて使用される。
【００３１】
以上、往復隠蔽はがきについて、本発明を説明したが、郵便で配達するはがきの用途に限らず、アンケート用紙等の手渡し等で、配布して、その後に、記入した用紙が回収されるものでも、本発明が適用できる。
【実施例】
【００３２】
以下に、本発明の往復隠蔽はがきについて、実施例に基づいて、説明する。
第１の基材として、上質紙、アート紙、コート紙等のパルプをした用紙を用い、第２の基材として、上質紙の片側の全面に、粘着主剤、粘着力調整剤、添加物で構成した再剥離性感圧粘着剤を塗工したものを用意した。まず、図１に示すように第１の基材の１Ａ面には、その往復隠蔽はがきの往信元である企業の宣伝のための広告を、また１Ｂ面には「郵便往復はがき」やハーフカットの位置を示す線１８を、さらに１Ｃ面には返信はがきとして、返信者が返信する人の個人情報を記入しやすくする説明書きを、それぞれオフセット印刷方式で、インラインで印刷形成する。また、第１の基材の両端には、マージナルパンチ１５を連続的に加工し、連続して巻き取った状態とした。
【００３３】
第２の基材の２Ｃ面には返信時のはがきの「郵便往復はがき」、「返信」の文字を、印刷形成する。但し、第２の基材には、上記の再剥離性感圧粘着剤が塗工されている。第１の基材の両端には、マージナルパンチ１５を連続的に加工し、連続して巻き取った状態とした。
【００３４】
上記の得られた第１の基材の巻取りと、第２の基材の巻取りを給紙部に設置して、接着剤Ｂ（２１）を塗工できるユニット１と、接着剤Ａ（２０）を塗工できるユニット２を隣接して設けた糊付けコレーターにて、第１の基材の巻取りの上記の印刷面と反対側に、図１ａ）に示すようなパターンで、接着剤Ｂ（２１）を塗工し、続けて第１の基材の巻取りの接着剤Ｂ（２１）が塗工された面と同じ側に、図１ａ）に示すようなパターンで、接着剤Ａ（２０）を塗工し、接着剤Ａ（２０）及び接着剤Ｂ（２１）が塗工された面と、第２の基材の上記の印刷面と反対側とが接するように、重ね合わせる。その時に、第１の基材と第２の基材の各印刷された部分が両者の位置関係が合うように、マージナルパンチを利用したピン送り方式で、第１の基材と第２の基材の見当合わせを行なう。さらに、貼り合わせ時３０と３１に示す位置に、横ミシン目の加工を施して、折り出しした。
【００３５】
上記の連続フォームとして丁合された往復隠蔽はがきは、横ミシン目３０、３１の部分で、折られた折り状態とする。この折り状態のものを、びく抜きの機械で、所定の大きさを有したハーフカット加工のための刃型と台座との間に、上記の往復隠蔽はがきを通して、間欠送りで図１に示すようなハーフカット１９処理を、第１の基材に対して施した。
【００３６】
次に、上記のハーフカット処理された往復隠蔽はがきを、両面印字のノーインパクトプリンターにて、第１の基材１１における１Ｂ面に、往信先の住所、名前１７の可変情報を、さらに、第２の基材１２の２Ａ面に、返信者の個人情報１３の可変情報を、それぞれ一つの往復隠蔽はがきとした時に、両者の情報の照合性がとれた状態で、両面印字を行なった。
【００３７】
その後に、切り取り線５、６を利用して、両端に設けられたマージナルパンチ１５加工された部分を、切り離した後に、折り線２で、谷折りの条件で折り畳んで、第２の基材１２の第２Ａ基材部と第２Ｂ基材部の表面同士（２Ａ面と２Ｂ面）が重ね合わされて圧着されて接着するように、さらに折り線で、谷折りの条件で折り畳んだ状態で、シーラーにて圧力を加える。但し、この加圧処理は長尺の往復隠蔽はがきを使用して、連続処理で行なう。圧着の工程中で、横ミシン目３０、３１を利用して、長尺の連続フォームから、多数の枚葉のシート状である、本発明の往復隠蔽はがきを形成した。
【００３８】  上記の得られた往復隠蔽はがきを往信先に郵送したところ、異常なく往信先に往復隠蔽はがきが届けられた。往信先の人は、２Ａ面と２Ｂ面とが接着した状態から、２Ａ面と２Ｂ面とを手で剥離して、２Ａ面に記載された個人情報１３を確認して、その後に折り線３の部分で第１Ｃ基材部（１Ｃ）と第１Ｂ基材部（１Ｂ）とを切り離して、第１Ｃ基材部（１Ｃ）と第２Ｃ基材部（２Ｃ）からなる返信はがき１６が得られた。この返信はがき１６の個人情報の記入欄２２に、往信された返信者は自分の個人情報に関する必要事項を記入した。その後に、第１Ｂ基材部（１Ｂ）に設けられたハーフカット１９部分を剥離して、該剥離した部分をラベルとして使用し、第１Ｃ基材部（１Ｃ）の表面に記載した個人情報２２を、該ラベルを貼り付けて隠蔽し、返信はがきを郵送した。この返信はがきは、返信先に異常なく届けられ、返信先の関係者が上記のラベルを返信はがきから剥離して、個人情報の記入欄２２の内容を確認し、必要事項を記憶装置へ入力する等の処置を行った。以上の往復隠蔽はがきは、プリンターの搬送適性に優れ、また印字適性も良好であり、隠蔽性が高く、往信元（返信先）と往信先（返信者）において、取扱い上、問題がなく使用された。
【図面の簡単な説明】
【００３９】
【図１】本発明の往復隠蔽はがきの一つの実施形態を示す概略図である。
【図２】従来の往復隠蔽はがきの一例を示す図である。
【図３】従来の往復隠蔽はがきの一例を示す図である。
【図４】本発明の往復隠蔽はがきの他の実施形態を示す概略図である。
【図５】本発明の往復隠蔽はがきの一つの実施形態を示す部分概略図である。
【符号の説明】
【００４０】
１      往復隠蔽はがき
２      折り線
３      折り線
４      隠蔽ラベル
５      切り取り線
６      切り取り線
７      切り抜き部
８      配置されたシート
９      ハーフカット
１０      はがき本体
１１      第１の基材
１２      第２の基材
１３      返信者の個人情報
１４      再剥離性感圧粘着剤層
１５      マージナルパンチ
１６      返信はがき
１７      往信先の住所、名前
１８      ハーフカットの位置を示す線
１９      ハーフカット
２０      接着剤Ａ
２１      接着剤Ｂ
２２      個人情報を記入した欄
３０，３１      横ミシン目
【図１】
0004713360.tif 000002
【図２】
0004713360.tif 000003
【図３】
0004713360.tif 000004
【図４】
0004713360.tif 000005
【図５】
0004713360.tif 000006